(57)【要約】【課題】　少なくとも２つの相手コネクタとの接続中に電気的情報を転送するのに使用できるコネクタを提供する。【解決手段】　電気コネクタは、絶縁ハウジングと、第１導電性端子モジュールと、第２導電性端子モジュールと、２つの位置設定部分とを含む。ハウジングは、上部挿入部及び下部挿入部を有する本体を含む。本体は、第１面、及びそれとは反対の第２面を有する。挿入部分は、第１面から、第２面から離れる方向に延びる。本体の下半分の挿入部分は、導電性端子の第１セットを含み、上半分の挿入部分は、導電性端子の第２セットを備え、各導電性端子は、第１コンタクト及び第２コンタクトを有する。本体は、第２の面における下方位置に複数の第１突起を有し、該第１突起は、第１セットの導電性端子の第２コンタクトを分割して個々に位置設定する。コネクタは、スタック構成であり、回路板の面積を増加しない。【選択図】　　　図４
2004134401.tif 000002
【特許請求の範囲】
【請求項１】
　２つの相手コネクタに挿入接続するために回路板に取り付けられる電気コネクタであって、
　本体が形成され、該本体の上半分と下半分に２つの挿入部分が各々配置されている絶縁ハウジングを備え、
　上記本体は、第１の面と、該第１の面とは逆の第２の面とを有し、上記挿入部分は、上記第１の面から、上記第２の面から離れる方向に延びており、
　上記本体の上記下半分の上記挿入部分は、導電性端子の第１セットを含むと共に、上記上半分の上記挿入部分は、導電性端子の第２セットを備え、各々の導電性端子は、第１コンタクト及び第２コンタクトを有し、上記第１コンタクトは、上記本体の上記第１の面から、上記第２の面から離れる方向に延び、更に、上記第２コンタクトは、上記第２の面から、上記第１の面から離れる方向に突出し、そして
　上記本体は、上記第２の面における下方位置に複数の第１突起を各々有し、該第１突起は、上記第１セットの導電性端子の上記第２コンタクトを各々分割して個々に位置設定するものである電気コネクタ。
【請求項２】
　上記第１突起は、上記第２セットの導電性端子の上記第２コンタクトを個々に位置設定する請求項１に記載の電気コネクタ。
【請求項３】
　上記本体は、上記第２の面における上方位置に複数の第２突起を各々有し、該第２突起は、上記第２セットの導電性端子の上記第２コンタクトを各々分割して個々に位置設定する請求項１に記載の電気コネクタ。
【請求項４】
　上記第１導電性端子の上記第２コンタクトは、上記第２導電性端子の上記第２コンタクトと単一行において交互に配列される請求項１に記載の電気コネクタ。
【請求項５】
　上記第２導電性端子の上記第２コンタクトは、２つのグループに分割され、そして上記第１導電性端子の上記第２コンタクトは、上記第２セットの導電性端子の上記第２コンタクトの２つのグループ間に配列される請求項１に記載の電気コネクタ。
【発明の詳細な説明】
【技術分野】
【０００１】
　本発明は、電気コネクタに係り、より詳細には、電気回路板に設置されるコネクタであって、少なくとも２つの相手コネクタとの接続中に電気的情報を転送するのに使用できるコネクタに係る。
【背景技術】
【０００２】
　図１、２及び３を参照すれば、特許出願第９０２１２６２１号（Ｒ．Ｏ．Ｃ．パブリケーションＮｏ．４９３８０４）に開示された「コネクタII」という名前のものにおいて、コネクタ１は、相手接続電気コネクタ（図示せず）に接続されて、電気的情報を転送するのに使用されるものである。電気コネクタ１は、主として、絶縁ハウジング１０と、導電性端子モジュール２と、２つのプレートロッカー１５とを備えている。絶縁ハウジング１０は、２つの端を有する長い長方形本体１１と、この本体１１を接続する挿入部分１２と、挿入ガイド部分１３と、支持部分１６と、更に別の２つの接続部分１４とで形成される。
【０００３】
　本体１１は、接続電気コネクタを接続するための第１の面１１１と、この第１の面１１１とは逆の第２の面１１２と、長い本体１１の端から延びる第１の端１１３と、この第１の端１１３に対して逆の端に延びる第２の端１１４と、第１の垂下プレート１１５と、第２の垂下プレート１１６とを有し、これら第１の垂下プレート１１５及び第２の垂下プレート１１６の両方は、互いに対向すると共に、第１の面１１１、第２の面１１２、第１の端１１３及び第２の端１１４によって画成され、そして更に、複数の端子スルーホール１１７が第１の面１１１から第２の面１１２へ貫通するように本体１１に設けられる。組み立てのために、第１の垂下プレート１１５又は第２の垂下プレート１１６を回路板３に向って設置することができる。
【０００４】
　挿入部分１２は、第１の面１１１に接続され、第１の面１１１から外方に延びる。挿入部分１２は、接続平面１２１及びバック平面１２２を有し、接続平面１２１は、端子スルーホール１１７に各々対応する複数の端子受け入れ溝１２１１を有し、更に、接続平面１２１は、誤った設置を防止するばか防止ブロック１２１２を備えている。バック平面１２２は、保持くぼみ１２２１を有する。
【０００５】
　挿入ガイド部分１３も、第１の面１１１に接続されて、第１の面１１１から外方に延びる。挿入ガイド部分１３及び挿入部分１２は、それらの間にギャップを画成する。挿入ガイド部分１３は、挿入部分１２に隣接した側にガイドくぼみ１３１を有する。同様に、支持部分１６は、第２の端１１４に隣接した第１の面１１１に形成されて、第１の面１１１から外方に延びる。支持部分１６及び挿入ガイド部分１３は、本体１１に対称的に配置される。
【０００６】
　更に、２つの接続部分１４は、第２の面１１２に接続され、そして本体１１の第１の端１１３及び第２の端１１４に各々隣接して、２つの接続部分１４は、第２の面１１２から外方に延びる。接続部分１４の各々は、回路板３に接続するための下部プレート１４２と、この下部プレート１４２とは逆の上部プレート１４１と、回路板３に配置された固定穴３２に対して上部プレート１４１から下部プレート１４２へ貫通する接続穴１４３とを有している。
【０００７】
　導電性端子モジュール２は、複数の並置した導電性端子２１を有し、各導電性端子２１は、各端子受け入れ溝１２１１にしっかり収容された複数の第１コンタクト２１１と、端子スルーホール１１７を各々貫通するために２つの接続部分１４間で第２の面１１２上を外方に突出する複数の第２コンタクト２１２とを有する。
【０００８】
　プレートロッカー１５の各々は、ストップストリップ１５１と、このストップストリップ１５１に対応する固定バックル１５２とを有する。この固定バックル１５２は、２つの撓み変形可能なフック１５２１をその端に有し、これらフックは、互いに逆方向に外方に突出する。固定バックル１５２が上部プレート１４１から接続穴１４３を経て固定穴３２へと貫通する間に、各フック１５２１は、固定穴３２の対向リムにフック係合し、そしてストップストリップ１５１は、接続穴１４３に保持される。
【０００９】
　回路板３と組み立てるために、回路板３は、そのエッジに形成された電気コネクタ１に一致する長方形のくぼみと、導電性端子２１に各々対応する複数の半田付けピン３１とを有し、２つの固定穴３２は、接続穴１４３に各々対応し、絶縁ハウジング１０の２つの接続部分１４の下部プレート１４２が回路板３の表面に同時に電気的接続される。第２コンタクト２１２は、電気的接続のための表面取り付け技術により半田付けピン３１に対応的に半田付けされる。固定バックル１５２が接続穴１４３を貫通して、フック１５２１により回路板３の固定穴３２に接続される。
【００１０】
　その後、ガイドくぼみ１３１及び保持くぼみ１２２１は、相手コネクタを挿入部分１２にガイドして位置設定し、更に、相手コネクタは、回路板３へ接続するために第１コンタクト２１１に接触することにより電気的情報を転送する。
【００１１】
　従って、２つのプレートロッカー１５は、絶縁ハウジング１０と回路板３との間の相対的な位置を制限し、プレートロッカー１５は、相手コネクタを挿入接続する状態又は相手コネクタの挿入後に横方向の力が作用する状態において導電性端子２１の荷重を分担するために著しい抵抗力を支持する。電気コネクタの標準化を想定して、導電性端子２１の破壊により電気コネクタ１が故障するのを防止するために絶縁ハウジング１０及び回路板３の位置一致性能を改善することができる。
【発明の開示】
【発明が解決しようとする課題】
【００１２】
　電気コネクタ１は、絶縁ハウジング１０と回路板３との間の相対的な位置を制限する２つのプレートロッカー１５により上記効果を発揮できるが、１つの相手コネクタのみに対して回路板３との１つの挿入接続しか与えず、相手コネクタの追加による要求を満足することができない。それ故、複数の相手コネクタを各々挿入するために、同じ表面のエッジに順次同様に配列されるか又は両表面のエッジに上下に食い違わされた複数の電気コネクタ１に各々対応して回路板３上の所定の位置に複数の固定穴を追加することが要望される。しかし、このようにすると、回路板３の面積の対応的な増加を招き、電気装置の体積が増加して、小型軽量の目標が達成されない。
　そこで、上述した公知の電気コネクタは、実際上、明らかに不便で、欠点があり、改良が要求される。
【課題を解決するための手段】
【００１３】
　本発明の目的は、小型軽量の目標を達成するために回路板の面積及び電気的装置の体積を増加せずに、複数の相手コネクタに挿入接続される複数の挿入部分を含み、回路板に電気的接続され、且つスタック形式である電気コネクタを提供することである。
【００１４】
　上記目的を達成するために、回路板に電気的接続され且つ２つの相手コネクタに挿入接続される電気コネクタは、本体と、該本体の上半分と下半分に各々接続された２つの挿入部分とを形成する絶縁ハウジングを備えている。上記本体は、第１の面と、該第１の面とは逆の第２の面とを有する。挿入部分は、第１の面から、第２の面から離れる方向に延びる。本体の下半分の挿入部分は、導電性端子の第１セットを含むと共に、上半分の挿入部分は、導電性端子の第２セットを備え、各々の導電性端子は、第１コンタクト及び第２コンタクトを有し、第１コンタクトは、本体の第１の面から、第２の面から離れる方向に延び、更に、第２コンタクトは、第２の面から、第１の面から離れる方向に突出する。本体は、第２の面における下方位置に複数の第１突起を各々有し、この第１突起は、第１セットの導電性端子の第２コンタクトを各々分割して個々に位置設定する。
【００１５】
　更に、第１突起は、第２セットの導電性端子の第２コンタクトを個々に位置設定する。
　更に別の実施形態において、本体は、第２の面における上方位置に複数の第２突起を各々有し、これら第２突起は、第２セットの導電性端子の第２コンタクトを各々分割して個々に位置設定する。
　更に別の実施形態において、第１導電性端子の第２コンタクトは、第２導電性端子の第２コンタクトと単一行において交互に配列される。
【００１６】
　更に別の実施形態において、第２導電性端子の第２コンタクトは、２つのグループに分割され、そして第１導電性端子の第２コンタクトは、第２セットの導電性端子の第２コンタクトの２つのグループ間に配列される。
　又、本発明は、上記第２導電性端子の第２コンタクトとは個別に２つの行に配列された第１導電性端子の第２コンタクトも含む。
　又、本発明は、互いに交互に配列された第１導電性端子の第２コンタクト及び第２導電性端子の第２コンタクトも含む。
【００１７】
　更に別の実施形態において、電気コネクタは、第１の面から、第２の面から離れる方向に延びる挿入ガイド部分を備え、このガイド部分は、上下の挿入部分に対応するガイドくぼみを含む。
　別の実施形態では、挿入ガイド部分は、相手コネクタと電気コネクタアッセンブリとの不適切な嵌合を防止する。
【発明を実施するための最良の形態】
【００１８】
　以下、添付図面を参照して、本発明の実施形態を詳細に説明する。
　本発明は、種々の形態で実施できるが、その特定の実施形態を図示して詳細に説明する。しかし、これは、本発明の原理を例示するものに過ぎず、本発明を何ら限定するものではないことを理解されたい。
【００１９】
　図４ないし図８を参照すれば、本発明の１つの好適な実施形態による電気コネクタは、絶縁ハウジング４と、第１の導電性端子モジュール５と、第２の導電性端子モジュール６と、２つの位置設定部分４６とを備えている。絶縁ハウジング４は、プラスチック材料で形成され、本体４１と、この本体４１の上半分及び下半分に接続された２つの挿入部分４２と、挿入ガイド部分４３と、支持部分４４と、少なくとも１つの接続部分４５とを有し、この接続部分４５は、ここに示す実施形態では、２つの接続部分４５であるのが好ましい。
【００２０】
　本体４１は、相手コネクタを接続するための第１の面４１１と、この第１の面４１１とは逆の第２の面４１２と、長い本体４１の端から延びる第１の端４１３と、この第１の端４１３に対して逆の端を形成するように延びる第２の端４１４と、第１の垂下プレート４１５と、第２の垂下プレート４１６とを有し、これら第１の垂下プレート４１５及び第２の垂下プレート４１６の両方は、互いに対向すると共に、第１の面４１１、第２の面４１２、第１の端４１３及び第２の端４１４によって画成される。組み立てのために、第２の垂下プレート４１６だけを回路板に向って設置することができる。本体４１は、第１の面４１１から第２の面４１２へ貫通するように本体４１の上半分及び下半分に２行に各々配列された複数の端子スルーホール４１７を有する。
【００２１】
　２つの挿入部分４２は、第１の面４１１に接続され、第１の面４１１から外方に延びる。挿入部分４２の各々は、接続平面４２１及びバック平面４２２を有し、接続平面４２１は、端子スルーホール４１７に各々対応する複数の端子受け入れ溝４２１１を有し、更に、接続平面４２１は、電気コネクタと相手コネクタとの不適切な嵌合を防止するためのブロック４２１２を備えている。バック平面４２２は、保持くぼみ４２２１を有する。
【００２２】
　挿入ガイド部分４３も、第１の面４１１に接続されて、第１の面４１１から外方に延びる。挿入ガイド部分４３及び各挿入部分４２は、それらの間にギャップを画成する。挿入ガイド部分４３は、各挿入部分４２に隣接した側にガイドくぼみ４３１を有する。同様に、支持部分４４は、第２の端４１４に隣接した第１の面４１１に形成されて、第１の面４１１から外方に延びる。支持部分４４及び挿入ガイド部分４３は、本体４１に対称的に配置される。
【００２３】
　更に、接続部分４５は、第２の面４１２に接続され、そして本体４１の第１の端４１３及び第２の端４１４に各々隣接して、接続部分４５は、第２の面４１２から外方に延びる。接続部分４５の各々は、回路板に接触するための下部プレート（図示せず）と、この下部プレートとは逆の上部プレート４５１と、回路板に配置された固定穴に対応して上部プレート４５１から下部プレートへ貫通する接続穴４５２とを有している。
【００２４】
　第１の導電性端子モジュール５は、複数の並置された第１導電性端子５１を有し、各第１導電性端子５１は、下方の挿入部分の端子受け入れ溝４２１１に各々しっかり収容された複数の第１コンタクト５１１と、端子スルーホール４１７を各々貫通するために２つの接続部分４５間で第２の面４１２上を外方に突出する複数の第２コンタクト５１２とを有する。
【００２５】
　第２の導電性端子モジュール６は、複数の並置された第２導電性端子６１を有し、各第２導電性端子６１は、上方の挿入部分４２の端子受け入れ溝４２１１に各々しっかり収容された複数の第１コンタクト６１１と、端子スルーホール４１７を各々貫通するために２つの接続部分４５間で第２の面４１２上を外方に突出する複数の第２コンタクト６１２とを有する。第１の導電性端子モジュール５の第１導電性端子５１の各第２コンタクト５１２は、１つの行において第２の導電性端子モジュール６の第２導電性端子６１の各第２コンタクト６１２と交互に配列される。
【００２６】
　別の実施形態では、第１の導電性端子モジュール５の第１導電性端子５１の第２コンタクト５１２は、第２の導電性端子モジュール６の第２導電性端子６１の第２コンタクト６１２から離れて、互いに交互に食い違わされて又は２行において１対１の関係で（図９に示すように）配列される。
【００２７】
　第３の実施形態では、第１の導電性端子モジュール５の第１導電性端子５１の第２コンタクト５１２と、第２の導電性端子モジュール６の第２導電性端子６１の第２コンタクト６１２を単一の行に配列して、第２の導電性端子モジュール６の第２導電性端子６１の第２コンタクト６１２を２つのグループに分割しそして単一の行の両端に各々配列すると共に、第１の導電性端子モジュール５の第１導電性端子５１の第２コンタクト５１２をそれらの間で単一の行の中間に配列することができる（図１３及び図１４を参照）。
【００２８】
　本体４１は、第２の面４１２における下方位置に複数の第１突起４１８を各々有し、これらの第１突起４１８は、第１の導電性端子モジュール５の第１導電性端子５１及び第２の導電性端子モジュール６の第２導電性端子６１を各々分割しそして個々に位置設定する（図５に示すように）。別の実施形態では、第１突起４１８の各々は、第１の導電性端子モジュール５の第１導電性端子５１のみを分割して位置設定するのに使用することができ（図９に示すように）、本体４１は、更に、第２の面４１２における上方位置に複数の第２の突起４１９を備え、これら第２の突起４１９は、第２の導電性端子モジュール６の第２導電性端子６１を各々分割して個々に位置設定する。
【００２９】
　ここに示す実施形態ではプレートロック部分を各々形成する位置設定部分４６は、ストップストリップ４６１と、このストップストリップ４６１に対応する固定バックル４６２とを備えている。この固定バックル４６２は、２つの撓み変形可能なフック４６２１をその端に有し、これらフックは、互いに逆方向に外方に突出する。固定バックル４６２が上部プレート４５１から接続穴４５２を経て回路板の固定穴へと貫通する間に、各フック４６２１は、固定穴の対向リムにフック係合する。
【００３０】
　回路板（図示せず）と組み立てるために、回路板は、第１導電性端子５１及び第２導電性端子６１に各々対応する複数の半田付けピンと、接続部分４５の接続穴４５２に各々対応する複数の固定穴（図示せず）とを有し、絶縁ハウジング４０の２つの接続部分４５の下部プレートが回路板の表面に同時に電気的接続される。第１導電性端子５１の第２コンタクト５１２及び第２導電性端子６１の第２コンタクト６１２は、電気的接続のための表面取り付け技術により半田付けピン３１に各々対応的に半田付けされる。固定バックル４５２が接続穴４５２を貫通して、フック４６２１により回路板の各固定穴に接続される。別の実施形態では、位置設定部分４６も、表面取り付けデバイスの形式のもので（図１３及び図１４に示すように）、表面取り付け技術により回路板に取り付けられる。
【００３１】
　その後、ガイドくぼみ４３１及び保持くぼみ４２２１が、相手コネクタを挿入部分４２へガイドして位置設定し、複数の相手コネクタは、回路板に接続するために第１導電性端子５１の第１コンタクト５１１及び第２導電性端子６１の第１コンタクト６１１に各々接触することにより電気的情報を転送する。
【００３２】
　従って、２つの位置設定部分４６は、絶縁ハウジング４０と回路板との間の相対的な位置を制限し、位置設定部分４６は、相手コネクタを挿入接続する状態又は相手コネクタの挿入後に横方向の力が作用する状態において第１導電性端子５１及び第２導電性端子６１の荷重を分担するために著しい抵抗力を支持する。電気コネクタの標準化を想定して、第１導電性端子５１及び第２導電性端子６１の破壊により電気コネクタ１が故障するのを防止するために絶縁ハウジング４０及び回路板の位置一致性能を改善することができる。別の実施形態では、位置設定部分４６を位置設定極又は他の位置設定手段に置き換えることもできるし、或いは各位置設定部分４６を各接続部分４５と１部片で一体的に形成することもできる。
【００３３】
　更に、上述した単一の電気コネクタは、２つ又はそれ以上の電気コネクタを組み合せて、４つ又はそれ以上の相手コネクタと挿入接続する複合コネクタとすることができる。図９及び１０を参照すれば、４つの電気コネクタが組み合わされた複合コネクタの実施形態が示されており、１つのコネクタの本体４１の第１の端４１３が、それに隣接する別のコネクタの本体４１の第２の端４１４に接続され、この１つのコネクタ及び別のコネクタは、互いに結合されるか、又は一体的に形成される。この複合コネクタは、その両端において第１導電性端子モジュール６と第２導電性端子モジュール６との間に接続部分４５を有する。この複合コネクタの位置設定部分４６は、上記単一電気コネクタと同様であり、従って、その構成は、ここでは説明しない。
【００３４】
　別の実施形態では、接続穴４５２は、上部プレート４５１を貫通せずに下部プレートからまっすぐに形成されたくぼみでもよく、更に、位置設定部分４６は、接続部分４５の接続穴４５２と挿入接続するものであれば、種々の構成でよい（図１２に示すような）。
【００３５】
　本発明は、回路板と共に挿入接続して電気的接続を与える複数の相手コネクタ、及び回路板の面積及び電気的装置の体積を維持して小型軽量の目標を達成するようにスタック形式で設計された電気コネクタを提供する。
【００３６】
　以上、本発明の特定の実施形態を詳細に説明したが、これは、本発明を単に例示するものに過ぎず、それ故、特許請求の範囲内で種々の変更や修正がなされ得ることが当業者に明らかであろう。
【図面の簡単な説明】
【００３７】
【図１】公知の電気コネクタ及び回路板の分解斜視図である。
【図２】公知の電気コネクタの斜視図である。
【図３】公知の電気コネクタ及び回路板の斜視図である。
【図４】本発明の電気コネクタの第１実施形態を示す斜視図である。
【図５】本発明の電気コネクタの第１実施形態を示す別の斜視図である。
【図６】本発明の電気コネクタの第１実施形態を示す前面図である。
【図７】本発明の電気コネクタの第１実施形態を示す上面図である。
【図８】本発明の電気コネクタの第１実施形態を示す後面図である。
【図９】本発明の電気コネクタの第２実施形態を示す斜視図である。
【図１０】本発明の第３の実施形態により電気コネクタを結合した複合コネクタの第１例を示す斜視図である。
【図１１】本発明の第４の実施形態により電気コネクタを結合した複合コネクタの第２例を示す斜視図である。
【図１２】本発明の電気コネクタの第５実施形態を示す斜視図である。
【図１３】本発明の電気コネクタの第６実施形態を示す斜視図である。
【図１４】本発明の電気コネクタの第７実施形態を示す斜視図である。
【符号の説明】
【００３８】
　４：絶縁ハウジング
　５：第１導電性端子モジュール
　６：第２導電性端子モジュール
　４１：本体
　４２：挿入部分
　４３：挿入ガイド部分
　４４：支持部分
　４５：接続部分
　４６：位置設定部分
　５１：第１導電性端子
　６１：第２導電性端子
　４１１：第１の面
　４１２：第２の面
　４１３：第１の端
　４１４：第２の端
　４１５：第１の垂下プレート
　４１６：第２の垂下プレート
　４１７：端子スルーホール
　４１８：第１突起
　４１９：第２突起
　４２１：接続平面
　４２２：バック平面
　４３１：ガイドくぼみ
　４５２：接続穴
　４６１：ストップストリップ
　４６２：固定バックル
　５１１：第１コンタクト
　５１２：第２コンタクト
　４２１１：端子受け入れ溝
　４２１２：ブロック
　４６２１：フック
【図１】
2004134401.tif 000003
【図２】
2004134401.tif 000004
【図３】
2004134401.tif 000005
【図４】
2004134401.tif 000006
【図５】
2004134401.tif 000007
【図６】
2004134401.tif 000008
【図７】
2004134401.tif 000009
【図８】
2004134401.tif 000010
【図９】
2004134401.tif 000011
【図１０】
2004134401.tif 000012
【図１１】
2004134401.tif 000013
【図１２】
2004134401.tif 000014
【図１３】
2004134401.tif 000015
【図１４】
2004134401.tif 000016
【外国語明細書】
2004134401.tif 000017
2004134401.tif 000018
2004134401.tif 000019
2004134401.tif 000020
2004134401.tif 000021
2004134401.tif 000022
2004134401.tif 000023
2004134401.tif 000024
2004134401.tif 000025
2004134401.tif 000026
2004134401.tif 000027
2004134401.tif 000028
2004134401.tif 000029
2004134401.tif 000030
2004134401.tif 000031
2004134401.tif 000032
2004134401.tif 000033
2004134401.tif 000034
2004134401.tif 000035
2004134401.tif 000036
2004134401.tif 000037
2004134401.tif 000038
2004134401.tif 000039
2004134401.tif 000040
2004134401.tif 000041
2004134401.tif 000042